(57)【要約】      （修正有）【課題】壁面等の所定の取り付け箇所に簡単に取り付けることのできる手摺及びその手摺の取り付け構造並びにその手摺の取り付け方法を提供する。【解決手段】手摺本体１を取り付けるに適したブラケット２の取り付け位置に相当する貫通孔５を複数の貫通孔５の内から適宜選択し、その選択した貫通孔５の位置にブラケット２の一方側端部９を笠木受け３の開口部６より嵌挿し、選択した貫通孔５より取り付け金具１０を挿入してブラケット２の一方側を取り付け工具により固定し、ブラケット２の他方側端部１１を予め想定した手摺の取り付け位置に固定し、貫通孔５に露出した取り付け金具１０の頭部側及び選択されなかった貫通孔５は密封手段１２により閉塞してなる。【選択図】図１
2015227583.tif 000002
【特許請求の範囲】
【請求項１】
開口部を下方に設けた略コ字型形状の長尺芯材の笠木受け及び該笠木受けの開口縁部に両端を嵌合させて表面側を囲繞した表面材の笠木とよりなる手摺本体において、該笠木の長手方向所定間隔毎に該笠木の側面側表面より内側の該笠木受けに至るまでブラケットの端部を固定する取り付け手段を挿通するための小孔となる貫通孔を複数箇所に設けてなることを特徴とする手摺。
【請求項２】
ブラケットの端部を固定するための取り付け手段となる貫通孔は、取り付け金具及び／又は該取り付け金具着脱のための工具挿通手段としたことを特徴とする請求項１記載の手摺。
【請求項３】
手摺本体は、長手方向に沿って直線部と折り曲げ部を交互に繰り返した形状とし、その折り曲げ部は鈍角の緩やかな折曲部とした波型形状の長尺部材としてなることを特徴とする請求項１又は２記載の手摺。
【請求項４】
波型形状の長尺部材における貫通孔は、直線部に設けてなることを特徴とする請求項３記載の手摺。
【請求項５】
ブラケットの一端部は長尺芯材となる笠木受けの開口部から溝内に嵌挿され、他端部は手摺本体の所定の取り付け箇所に固定され、表面材として該笠木受けに嵌合された笠木の長手方向所定間隔毎に該笠木の側面側表面より該笠木受けに至る複数の貫通孔の内から該ブラケットの一端部の嵌挿位置に相当する貫通孔を選択し、該貫通孔から挿通した取り付け手段により該ブラケットの一端部が溝内で固定されてなることを特徴とする手摺の取り付け構造。
【請求項６】
取り付け手段となる取り付け金具は、その先端部が貫通孔から笠木受けを貫通し、ブラケットの嵌挿側端部に形成した溝に嵌入することにより該ブラケットを固定してなることを特徴とする請求項５記載の手摺の取り付け構造。
【請求項７】
取り付け手段となる取り付け金具は、その先端部が貫通孔から笠木受けの溝の一方側壁を貫通し、ブラケットの嵌挿側端部に喰い込み又は螺合し或いは貫通して溝の他方側壁に喰い込み又は螺合することにより該ブラケットを固定してなることを特徴とする請求項５記載の手摺の取り付け構造。
【請求項８】
請求項１記載の手摺を壁面等の所定の取り付け箇所に取り付ける方法において、手摺本体を取り付けるに適したブラケットの取り付け位置に相当する貫通孔を複数の貫通孔の内から適宜選択し、その選択した貫通孔の位置にブラケットの一端部を笠木受けの開口部より溝内へ嵌挿し、上記選択した貫通孔より取り付け金具を挿入して該ブラケットの一端部を取り付け工具により溝内で固定し、該ブラケットの他端部を予め想定した該手摺の取り付け位置に固定し、該貫通孔に露出した取り付け金具の頭部側及び選択されなかった貫通孔は密封手段により閉塞してなることを特徴とする手摺の取り付け方法。
【請求項９】
請求項１記載の手摺を壁面等の所定の取り付け箇所に取り付ける方法において、手摺本体を取り付けるに適したブラケットの取り付け位置に相当する貫通孔を複数の貫通孔の内から適宜選択し、その選択した貫通孔に合致する位置となる手摺の取り付け箇所にブラケットの他端部を固定し、ブラケットの一端部は笠木受けの開口部より溝内へ嵌挿し、上記予め選択した貫通孔より取り付け金具を挿入して該ブラケットの一端部を取り付け工具により溝内で固定し、該貫通孔に露出した取り付け金具の頭部側及び選択されなかった貫通孔は密封手段により閉塞してなることを特徴とする手摺の取り付け方法。
【発明の詳細な説明】
【技術分野】
【０００１】
本発明は、壁面等の所定の取り付け箇所に簡単に取り付けることのできる手摺及びその手摺の取り付け構造並びにその手摺の取り付け方法に関する。
【背景技術】
【０００２】
従来より、芯材Ａと表面材Ｂとを各々別部材とした手摺本体Ｃにあっては、図６に示すように、該芯材Ａは、その周囲に表面材Ｂを嵌合させるために、該芯材Ａの下部側に長手方向に沿って溝状に開口する開口部Ｄを形成している。該手摺本体Ｃを壁面等の所定の取り付け箇所Ｅに取り付けるには、該表面材Ｂを嵌合させる前の状態の該芯材Ａの該開口部ＤにブラケットＦの一方側となる一端部Ｇを嵌挿固定し、他方側となる他端部Ｈを壁面等の所定の取り付け箇所に固定し、その後、該芯材Ａに表面材Ｂを嵌合していた。
【０００３】
これは、手摺本体ＣとブラケットＦとを固定するためには、開口部Ｄへ嵌挿したブラケットＦの一端部Ｇの固定手段の一部が該手摺本体Ｃの表面側に露出しないようにする必要があり、先ず、該芯材ＡとブラケットＦとの固定を先行させ、その後、該芯材Ａに表面材Ｂを嵌合することで、固定手段が隠蔽され、完成した手摺の表面側に該固定手段の頭部等が露出することを防止するためである。
【０００４】
この従来の手摺の取り付け方法は、先ず、ブラケットＦの他方側となる一端部Ｈを壁面等の所定の取り付け箇所Ｅに固定し、その後、該ブラケットＦの一方側となる端部Ｇに芯材Ａとなる笠木受けを嵌挿し（以下、芯材を笠木受けという）、該笠木受けＡの側面側から固定ネジＩをブラケットＦの端部Ｇにねじ込み、これにより、先ずブラケットＦの上端部に笠木受けＡを固定し、或いは該ブラケットＦに笠木受けＡを嵌挿固定後、該ブラケットＦを所定の取り付け箇所に固定し、その後、該笠木受けＡの外表面を覆うようにして表面材Ｂとしての笠木（以下、表面材を笠木という）を該笠木受けＡの表面に笠木Ｂの軟化収縮や該笠木受けＡの開口部Ｄ側の係止手段等を利用することにより嵌合し、手摺本体Ｃの壁面等の所定の取り付け箇所Ｅへの取り付けを完成させて手摺としていた。
【０００５】
また、下記する特許文献１のように、予め笠木受けに笠木を嵌合し、ブラケットの一端部を該笠木受けのスライド溝内に嵌挿し、該一端部を該スライド溝内で固定することでブラケットを固定し、その状態の該ブラケットの他端部を所定の取り付け箇所に固定することで手摺を施工している技術がある。上記ブラケットの一端部の固定手段は、手摺本体の底側に形成した開口部の内側の該スライド溝内に設けたブラケット取り付け部材を固定するもので、且つ、主として溝を形成する内側周壁と取り付け部材との摺接による摩擦抵抗を利用しての固定としていた。
【先行技術文献】
【特許文献】
【０００６】
【特許文献１】特開平９−１５１５８８号公報
【発明の概要】
【発明が解決しようとする課題】
【０００７】
上記した従来の手摺及びその取り付け方法は、ブラケットの一端部を笠木受けに固定した後、該笠木受けに笠木を嵌合しているため、施工現場の狭い場所においてブラケットが固定された状態での長尺の笠木受けに長尺の笠木を取り付ける作業を行わなければならず、また、その取り付け作業は笠木を軟化収縮させるための加熱手段の使用や嵌合作業等の困難な作業を伴い、非常に難しく、作業性も極めて悪いという問題点があった。
【０００８】
また、笠木の形状によっては、その取り付け時において該ブラケットに大きな力が加わり、その場合、該ブラケットの固定状態が緩くなり、該ブラケットの再固定が求められるという問題点が生じることもあった。
【０００９】
他方、予め笠木受けに笠木が嵌合され、且つ、該笠木受けにブラケットの一端部が固定され、その状態で該ブラケットを壁面等の所定の取り付け箇所に固定するものにあっては、該笠木受けへのブラケットの固定は、該笠木受けの底側に形成した開口部と連続する溝内に設けた取り付け部材に固定する作業となり、且つ、取り付け部が多かった。また、笠木受けと取り付け部材との固定は、主として溝内壁と該取り付け部材との摺接による摩擦抵抗を利用しての間接固定となるため、経年により上記摩擦抵抗が低下するおそれもあり、利用者の体重を強く支持しなければならない手摺としては不向きであった。
【００１０】
本発明は、上記した従来の技術の有する問題点に鑑みてなされたもので、その目的とするところは、予め笠木を笠木受けに嵌合し、且つ、ブラケットを該笠木受けに固定した状態の手摺本体を該ブラケットを介して壁面等の所定の取り付け箇所に固定でき、或いは壁面等の所定の取り付け箇所に固定したブラケットの一端部を、笠木受けに笠木が嵌合された状態の該笠木受けに嵌挿固定することで手摺の取り付けができ、いずれにしても該笠木受けに笠木を嵌合する作業を、ブラケットを笠木受けに嵌挿固定した後に行う必要がなく、現場作業を簡単、且つ、確実なものとした手摺及びその手摺の取り付け構造並びにその手摺の取り付け方法を提供するものである。
【００１１】
また、完成した手摺本体の側面側からブラケットを固定することができ、素人でも簡単な作業でブラケットを笠木受け内で確実で強固な固定構造を得ることのできる手摺及びその手摺の取り付け構造並びにその手摺の取り付け方法を提供するものである。
【００１２】
更に、笠木受けと笠木とが嵌合され、開口部から溝内へ一端部を嵌挿したブラケットを予め固定した状態の一体となった手摺本体を、該ブラケットの他端部を壁面等の所定の取り付け箇所に固定する作業のみで手摺本体の取り付けができ、或いは壁面等の所定の取り付け箇所に固定したブラケットの一端部を、笠木受けに笠木が嵌合された状態の該笠木受けに嵌挿固定することで手摺の取り付けができ、笠木受けに笠木を嵌合する作業等を後施工として行う必要がなく、現場作業を簡単にした手摺の取り付け方法を提供するものである。
【課題を解決するための手段】
【００１３】
本発明は、開口部を下方に設けた略コ字型形状の長尺芯材の笠木受け及び該笠木受けの開口縁部に両端を嵌合させて表面側を囲繞した表面材の笠木とよりなる手摺本体において、該笠木の長手方向所定間隔毎に該笠木の側面側表面より内側の該笠木受けに至るまでブラケットの一端部を固定する取り付け手段を挿通するための小孔となる貫通孔を複数箇所に設けてなる手摺を特徴とする。
【００１４】
また、上記ブラケットの一端部を固定するための取り付け手段となる貫通孔は、取り付け金具及び／又は該取り付け金具着脱のための工具挿通手段とした手摺を特徴とする。
【００１５】
更に、上記手摺本体は、長手方向に沿って直線部と折り曲げ部を交互に繰り返した形状とし、その折り曲げ部は鈍角の緩やかな折曲部とした波型形状の長尺部材としてなる手摺を特徴とする。
【００１６】
また、上記波型形状の長尺部材における貫通孔は、直線部に設けてなる手摺を特徴とする。
【００１７】
更に、上記ブラケットの一端部は長尺芯材となる笠木受けの開口部から溝内に嵌挿され、他端部は手摺本体の所定の取り付け箇所に固定され、表面材として該笠木受けに嵌合された笠木の長手方向所定間隔毎に該笠木の側面側表面より該笠木受けに至る複数の貫通孔の内から該ブラケットの一端部の嵌挿位置に相当する貫通孔を選択し、該貫通孔から挿通した取り付け手段により該ブラケットの一端部が溝内で固定されてなる手摺の取り付け構造を特徴とする。
【００１８】
また、上記取り付け手段となる取り付け金具は、その先端部が貫通孔から笠木受けを貫通し、ブラケットの嵌挿側端部に形成した溝に嵌入することにより該ブラケットを固定してなる手摺の取り付け構造を特徴とする。
【００１９】
更に、上記取り付け手段となる取り付け金具は、その先端部が貫通孔から笠木受けの溝の一方側壁を貫通し、ブラケットの嵌挿側端部に喰い込み又は螺合し或いは貫通して溝の他方側壁に喰い込み又は螺合することにより該ブラケットを固定してなる手摺の取り付け構造を特徴とする。
【００２０】
また、上記手摺を壁面等の所定の取り付け箇所に取り付ける方法において、手摺本体を取り付けるに適したブラケットの取り付け位置に相当する貫通孔を複数の貫通孔の内から適宜選択し、その選択した貫通孔の位置にブラケットの一端部を笠木受けの開口部より溝内へ嵌挿し、上記選択した貫通孔より取り付け金具を挿入して該ブラケットの一端部を取り付け工具により溝内で固定し、該ブラケットの他端部を予め想定した該手摺の取り付け位置に固定し、該貫通孔に露出した取り付け金具の頭部側及び選択されなかった貫通孔は密封手段により閉塞してなる手摺の取り付け方法を特徴とする。
【００２１】
更に、上記手摺を壁面等の所定の取り付け箇所に取り付ける方法において、手摺本体を取り付けるに適したブラケットの取り付け位置に相当する貫通孔を複数の貫通孔の内から適宜選択し、その選択した貫通孔に合致する位置となる手摺の取り付け箇所にブラケットの他端部を固定し、ブラケットの一端部は笠木受けの開口部より溝内へ嵌挿し、上記予め選択した貫通孔より取り付け金具を挿入して該ブラケットの一端部を取り付け工具により溝内で固定し、該貫通孔に露出した取り付け金具の頭部側及び選択されなかった貫通孔は密封手段により閉塞してなる手摺の取り付け方法を特徴とする。
【発明の効果】
【００２２】
本発明は、予め笠木受けに笠木を嵌合した状態で手摺本体を壁面等の取り付け箇所に固定することができるので、手摺本体を完成した状態で壁面等に取り付けることになり、手摺本体の完成作業を現場での設置部において行うことを省くことができ、現場での手摺の据え付け作業が素人でも簡単に行うことが可能となった。
【００２３】
また、手摺本体へのブラケットの取り付け作業が笠木受けに笠木を嵌合した状態で該手摺本体の側面側から簡単にでき、且つ、その取り付け部を隠蔽することができるので、出来上がりのきれいな手摺を得ることが可能となった。
【図面の簡単な説明】
【００２４】
【図１】本発明の手摺及びその手摺の取り付け構造の断面図。
【図２】（ａ）密封栓の側面図、（ｂ）同密封栓の正面図。
【図３】本発明の手摺及びその手摺の取り付け構造の他の実施例の断面図。
【図４】本発明の手摺本体の他の実施例の側面図。
【図５】本発明の手摺及びその手摺の取り付け構造の他の実施例の断面図。
【図６】従来の手摺及びその手摺の取り付け構造の断面図。
【発明を実施するための形態】
【００２５】
以下、本発明の手摺及びその手摺の取り付け構造並びに手摺の取り付け方法の一形態を図面に基づいて詳細に説明する。
【実施例１】
【００２６】
図１は、本発明の実施の一形態を示すもので、長尺の手摺本体１を所定の取り付け箇所となる建物の壁面等にブラケット２を使用して取り付けた状態の断面図を示している。
【００２７】
手摺本体１は、開口部を下方に設けた略コ字型形状の長尺芯材の笠木受け３と、該笠木受け３の表面側の一部を除いて囲繞してなる表面仕上げ材の笠木４とよりなり、該笠木４には、その長手方向所定間隔毎に該笠木４の側面側表面より該笠木受け３に至るまで該笠木４を貫通して複数の貫通孔５を設けている。
【００２８】
上記笠木受け３は、略コ字型形状で、下方に開口部６が形成され、その内側は長手方向に連続した長尺の溝７を形成している。他方、笠木４は該笠木受け３の外側周壁部に嵌合する内側周壁部が形成され、その両端部には各々折り返し部８が形成され、強制拡開や加熱軟化後の冷却収縮等により該折り返し部８を該開口部６の両端部に各々嵌合させながら該笠木受け３に笠木４を密着嵌合させることができる。笠木４を笠木受け３に嵌合した後においても、下方の嵌合部以外の開口部６側は、開口している状態が維持されている。
【００２９】
従って、笠木受け３に笠木４を嵌合させて手摺本体１を完成させた状態でも、該開口部６及び該開口部６の内側の長手方向に連続する溝７の適宜位置に下方よりブラケット２の一端部９を嵌挿させることができる。
【００３０】
貫通孔５は、笠木４の側面側に該笠木４を貫通させて所定間隔毎に複数箇所に形成し、該ブラケット２を該笠木受け３に固定するための取り付け手段となるタッピングビス等の取り付け金具１０や該取り付け金具１０を固定するための取り付け工具等の挿入口となる。
【００３１】
本実施例１では、手摺本体１の取り付け位置となる壁面側の側壁に貫通孔５を設け、該貫通孔５より挿入した取り付け金具１０を、笠木受け３の一方側の側壁を貫通し、更に、溝７に挿入したブラケット２の一端部９を貫通し、該笠木受け３の他方側の側壁に至るまで貫通させて該ブラケット２の一端部９を固定している。該取り付け金具１０は、その先端側をブラケット２の部材中に喰い込み固定又は螺合固定させてもよい。固定にあたっては該貫通孔５側から取り付け手段となる工具により行うことになる。
【００３２】
該貫通孔５は、手摺本体１の長手方向に沿って複数箇所に予め設けておくので、該手摺本体１の壁面等の取り付け箇所となるブラケット２の他端部１１側が強固に固定できる強い材料や下地材を設けた箇所を予め選定し、当該箇所に合った位置の手摺本体１の貫通孔５を適宜選択することになる。
【００３３】
選択されなかった貫通孔５は、図２（ａ）、（ｂ）に示すように、密封栓１２によって封鎖しておくことができる。また、取り付け金具１０の頭部側を隠蔽するために、図２（ａ）、（ｂ）に示す密封栓１２のように、挿入部に十字形状の突出部１３を形成し、該突出部１３を取り付け金具１０の頭部に形成された十字形溝に嵌合することにより貫通孔５より脱落することなく閉鎖することができる。
【００３４】
上記突出部１３の材料や形状は、貫通孔５内で所定の摩擦が得られて脱落防止となるものであれば適宜のものを選択することができる。図１は、該貫通孔５の位置を手摺本体１の取り付け箇所となる壁面側と対向する側の笠木４の側面に設けているが、該笠木４と色や形状等において違和感の生じないものであれば、手摺の使用者側となる表側面に設けることも可能である。
【００３５】
上記のように、笠木受け３に笠木４の嵌合された手摺本体１に予めブラケット２の一端部を固定し、その後、該ブラケット２の他端部１１を壁面等の所定の取り付け箇所に取り付けることにより、現場での手摺完成のための施工時間を大幅に短縮することができると同時に、素人でも簡単に手摺本体１を所定の取り付け箇所に取り付けることが可能となった。
【実施例２】
【００３６】
上記実施例１では、手摺本体１にブラケット２を固定し、その後、該ブラケット２を壁面等の所定の取り付け箇所に取り付けているが、先にブラケット２を壁面等の所定の取り付け箇所に取り付け、その後、該ブラケット２の一端部９側に手摺本体１を固定する取り付け方法を選択することができる。
【００３７】
手摺を壁面等の所定の取り付け箇所に取り付ける具体的な方法において、手摺本体１を取り付けるに適したブラケット２の取り付け位置に相当する貫通孔５を複数の貫通孔５の内から予め適宜選択し、その選択した貫通孔５に合致する位置となる壁面等の所定の取り付け箇所に、先ずブラケット２の他端部１１を固定し、該ブラケット２の一端部９を予め笠木４の嵌合された笠木受け３の開口部６より溝７内へ嵌挿し、上記予め選択した貫通孔５より取り付け金具１０を挿入して該ブラケット２の一端部９を取り付け工具により固定し、該貫通孔５に露出した取り付け金具１０の頭部側及び選択されなかった貫通孔５は図（ａ）、（ｂ）に示す密封栓１２のような密封手段により閉塞する手摺の取り付け方法を選択することもできる。
【実施例３】
【００３８】
図３は、本発明の他の実施例を示すもので、長尺の手摺本体２１へブラケット２２を取り付けるに際し、笠木受け２３に予め笠木２４を嵌合し、該笠木２４を貫通させて貫通孔２５を設け、該貫通孔２５を取り付け金具２６の挿入口とすると同時に、該取り付け金具２６を押し込んだり螺合させたりして着脱自在とするための取り付け工具２７の挿入口とを兼用としたものである。従って、取り付け金具２６の頭部は、笠木２４の内側或いは笠木受け２３の外側壁の位置まで入り込んで静止することになる。密封栓１２は、選択されなかった未使用の貫通孔２５と同様に、当該箇所の貫通孔２５にも使用され、全ての貫通孔２５を閉塞することになる。
【実施例４】
【００３９】
図４は、本発明の手摺本体の他の実施例を示すもので、通常の直線状に延設した手摺本体の実施例の他、長尺の手摺本体３１をその長手方向に沿って直線部３２と折り曲げ部３３を交互に繰り返した形状としたもので、その折り曲げ部３３は鈍角の緩やかな折曲部とした波型形状の長尺部材としたものである。階段の勾配に合わせ或いはトイレ・浴室等の屈伸のための支持部材として手摺本体３１が壁面等の所定の取り付け箇所に固定されることになるので、それらの勾配となる１５度〜４５度程度、最適値として２０度〜３５度の勾配に適する鈍角が選ばれる。従って、鈍角としては９０度＋（１５度〜４５度）となる１０５度〜１３５度を採用する。また、上記直線部３２は、手摺本体３１の取り付け時に当該部分が水平となることを基準として固定される。該長尺の手摺本体３１の両端部は、適宜形状のものを選択することができる。
【００４０】
該手摺本体３１も、上記実施例と同様、ブラケットを取り付けるための笠木受けの表面に予め笠木を嵌合し、該笠木には複数の貫通孔３５を適宜間隔毎に設けている。本実施例４では、直線部３２の位置に貫通孔３５を形成している。使用者は、手摺本体３１の直線部３２に大きな力をかけることが多いので、当該部分にブラケットを設けることが強度的に有効となるからである。
【実施例５】
【００４１】
図５は、本発明の他の実施例を示すもので、長尺の手摺本体４１へブラケット４２を取り付けるに際し、笠木受け４３に予め嵌合した笠木４４に貫通孔４５を設け、該貫通孔４５より取り付け金具４６を挿入し、該ブラケット４２の嵌挿側の一端部に設けた凹部４７へ取り付け金具４６の先端部を嵌合又は螺合したものである。
【００４２】
上記実施例３乃至５において、各々の手摺本体をブラケットを介して壁面等の所定の取り付け箇所へ固定する手摺の取り付け方法は、実施例１、２と同様の施工方法を採用することができる。
【符号の説明】
【００４３】
１、２１、３１、４１          手摺本体
２、２２、４２                ブラケット
３、２３、４３                笠木受け
４、２４、４４                笠木
５、２５、３５、４５          貫通孔
６                            開口部
７                            溝
８                            折り返し部
９                            一端部
１０、２６、４６              取り付け金具
１１                          他端部
１２                          密封栓
１３                          突出部
２７                          取り付け工具
３２                          直線部
３３                          折り曲げ部
４７                          凹部
【図１】
2015227583.tif 000003
【図２】
2015227583.tif 000004
【図３】
2015227583.tif 000005
【図４】
2015227583.tif 000006
【図５】
2015227583.tif 000007
【図６】
2015227583.tif 000008